(57)【要約】      （修正有）【課題】スピンドルモータ機構が発生するノイズの影響を受けず、また光ディスク装置下部から効率よく外気を取り込むことのできる光ディスク装置を提供する。【解決手段】光ディスク装置１の背板部７近傍に取付けられた第１の基板２１とドロワー８のトレイ部１６の下部であって機構収納部の近傍に取付けられた第２の基板１７を接続するフレキシブルプリント基板２２を配置する際、ドロワーが収納位置にあるときにスピンドルモータ機構１２の回転軸１２ａの延長線が底板部３と交差する点の近傍を避けて配置させる。【選択図】図３
2009181677.tif 000002
【特許請求の範囲】
【請求項１】
天板部、底板部、背板部および一対の側板部を有する筐体と、
前記背板部近傍に取付けられた第１の基板と、
前記筐体内に収納される収納位置と光ディスクを着脱するための引出し位置との間で摺動自在に前記筐体に保持され、前記光ディスクを回転させるモータ機構および前記光ディスクに情報を記録または再生するヘッド機構が収納された機構収納部とこの機構収納部の上方に設けられ前記光ディスクが収容されるトレイ部と前記機構収納部近傍に取り付けられた第２の基板とを備えたドロワーと、
一端が前記第１の基板に、他端が前記第２の基板に接続され、前記ドロワーが前記引出し位置から前記収納位置方向に移動する際に、前記底板部の内壁面に摺動接触する中間部を有する可撓性の電気的接続部材とを備え、
前記電気的接続部材は、前記ドロワーが収納位置にあるときに前記モータ機構の回転軸の延長線が前記底板部と交差する点の近傍を避けて配置されることを特徴とする光ディスク装置。
【請求項２】
天板部、底板部、背板部および一対の側板部を有する筐体と、
前記背板部近傍に取付けられた第１の基板と、
前記筐体内に収納される収納位置と光ディスクを着脱するための引出し位置との間で摺動自在に前記筐体に保持され、前記光ディスクを回転させるモータ機構および前記光ディスクに情報を記録または再生するヘッド機構が収納された機構収納部とこの機構収納部の上方に設けられ前記光ディスクが収容されるトレイ部と前記機構収納部近傍に取り付けられた第２の基板とを備えたドロワーと、
一端が前記第１の基板に、他端が前記第２の基板に接続され、前記ドロワーが前記引出し位置から前記収納位置方向に移動する際に、前記底板部の内壁面に摺動接触する中間部を有する可撓性の電気的接続部材とを備え、
前記電気的接続部材は、前記ドロワーが収納位置にあるときに前記モータ機構の回転部の外径が前記底板部に投影された領域の範囲外に配置されることを特徴とする光ディスク装置。
【請求項３】
前記底板部は、前記ドロワーが収納位置にあるとき前記モータ機構の回転部の外径が前記底板部に投影された領域の範囲内に前記筐体内に外気を導入するための通気孔を有することを特徴とする請求項１または請求項２記載の光ディスク装置。
【請求項４】
前記電気的接続部材は、前記ドロワーが収納位置にあるときに前記モータ機構の回転軸の延長線が前記底板部と交差する点から１５ｍｍ以上離れた位置に配置されることを特徴とする請求項１記載の光ディスク装置。
【請求項５】
前記電気的接続部材は、フレキシブルプリント基板であることを特徴とする請求項１乃至請求項４記載の光ディスク装置。
【発明の詳細な説明】
【技術分野】
【０００１】
この発明は、ディスク状の情報記録媒体、例えば円盤状の光ディスクに情報を記録し、または光ディスクから情報を再生する光ディスク装置に関する。
【背景技術】
【０００２】
近年、情報記録再生装置として、ＣＤ（Compact Disc）、ＤＶＤ(Digital Versatile Disk)、ＨＤ−ＤＶＤ(High Definition Digital Versatile Disk)等の光ディスクに対して情報を記録／再生する光ディスク装置が広く知られている。
【０００３】
光ディスクの記録容量の増加と平行して、光ディスクの再生速度または記録速度の高速化が求めれ、それに伴って光ディスクの回転速度が大きくなっている。例えば、ＤＶＤでは１６倍速では毎分１万回転近くにもなり、光ディスクを戴置し回転駆動するスピンドルモータ機構はノイズの発生源となっている。また高速化に伴い、スピンドルモータ機構および光ディスクの情報を再生したり光ディスクへ情報を記録するためのピックアップヘッド機構が収納される機構収納部は、動作時の発熱が増大し、筐体の内部の温度を上昇させる。内部の温度が上昇するとピックアップヘッド機構の半導体レーザの寿命や出力されるレーザの波長、あるいは部品同士の位置精度に悪影響を与える恐れが生じるため、外気を筐体の内部に取り込んで冷却する方法が提案されている。（例えば特許文献１参照。）
【特許文献１】特開２００４−２４１０２４号公報
【０００４】
ノート型パソコン等の小型情報処理装置に組み込まれる薄型の光ディスク装置では、光ディスクを収容するトレイ部およびスピンドルモータ機構ならびにピックアップヘッド機構が一体的に設けられたドロワーが、光ディスク装置の筐体に対して摺動自在なドロワー方式が主流になっている。
【０００５】
このドロワーは、筐体内に収納されて光ディスクの駆動再生動作あるいは記録動作が行われる収納位置と、筐体から突出し光ディスクの着脱が行われる引出し位置との間で摺動されるよう摺動機構を介して筐体に保持されている。筐体後部にはホストコンピュータと接続するためのコネクタを搭載する基板が設けられ、またドロワーには制御基板が設けられており、基板と制御基板はフレキシブルプリント基板により接続されている。
【発明の開示】
【発明が解決しようとする課題】
【０００６】
ドロワー方式を採用した薄型の光ディスク装置において、スピンドルモータ機構の下部から外気を筐体の内部に取り込んで冷却する場合に、収納位置においてフレキシブルプリント基板が吸気孔を塞いでしまうと効率よく外気を取り込めないという問題があった。また、フレキシブルプリント基板がスピンドルモータ機構の直下に配置されると、スピンドルモータ機構から発生するノイズがフレキシブルプリント基板の信号ラインに影響し、信号品位が低下させる可能性があった。
【０００７】
本発明は上記したような事情に鑑み成されたものであって、スピンドルモータ機構が発生するノイズの影響を受けず、また光ディスク装置下部から効率よく外気を取り込むことのできる光ディスク装置を提供することを目的とする。
【課題を解決するための手段】
【０００８】
上記目的を達成するために、本発明の光ディスク装置は、天板部、底板部、背板部および一対の側板部を有する筐体と、前記背板部近傍に取付けられた第１の基板と、前記筐体内に収納される収納位置と光ディスクを着脱するための引出し位置との間で摺動自在に前記筐体に保持され、前記光ディスクを回転させるモータ機構および前記光ディスクに情報を記録または再生するヘッド機構が収納された機構収納部とこの機構収納部の上方に設けられ前記光ディスクが収容されるトレイ部と前記機構収納部近傍に取り付けられた第２の基板とを備えたドロワーと、一端が前記第１の基板に、他端が前記第２の基板に接続され、前記ドロワーが前記引出し位置から前記収納位置方向に移動する際に、前記底板部の内壁面に摺動接触する中間部を有する可撓性の電気的接続部材とを備え、前記電気的接続部材は、前記ドロワーが収納位置にあるときに前記モータ機構の回転軸の延長線が前記底板部と交差する点の近傍を避けて配置されることを特徴とする。
【発明の効果】
【０００９】
本発明によれば、スピンドルモータ機構が発生するノイズの影響を受けず、また光ディスク装置下部から効率よく外気を取り込むことができ、光ディスク装置を安定して動作させることができる。
【発明を実施するための最良の形態】
【００１０】
以下本発明の実施例について図面を参照しながら説明する。
【００１１】
図１は、第１の実施形態に係る光ディスク装置１において、ドロワーが収納位置に収納された状態の概観を示す斜視図である。図１に示すように、光ディスク装置１は、パーソナルコンピュータ等に内蔵されるスリム型の光ディスク装置として構成されている。図面の右下側が光ディスク装置１の前面である。筐体２は、扁平な矩形状であり、筐体の底面部を構成する底板部３および筐体の上面部を構成する天板部４有している。底板部３は、板金によりほぼ矩形状に形成され、挿通口６を除く周縁部がほぼ直角に折曲げられ、側板部５ａ、５ｂを構成している。同様に、天板部４は板金によりほぼ矩形状に形成され、側板部５ａ、５ｂに重ねてねじ止めされている。
【００１２】
図２は、図１において天板部４を外した状態の概観を示す斜視図である。図２に示すように、ディスク装置１は、筐体２内に収納される収納位置と光ディスクを着脱するための引出し位置との間で摺動自在に筐体に保持されたドロワー８を備えている。筐体２の前面側は開口し、ドロワー８を挿通するための挿通口６を規定している。また底板部３の一部は延在部３ａが形成されている。ドロワー８の前面には前面パネル９が設けられており、ドロワー８が収納位置にあるとき、筐体２の挿通口６を塞ぐようになっている。また前面パネル９にはスイッチ１０があり、このスイッチを押下することにより、ドロワーが収納位置から解除され、人手によってドロワー８を引出し位置まで引出すことができる。
【００１３】
ドロワー８は光ディスク１１を回転させるスピンドルモータ機構１２および光ディスクの情報を再生したり光ディスクへ情報を記録するピックアップヘッド機構１４が収納される機構収納部１５とこの機構収納部１５の上部に配置され光ディスクが収容されるトレイ部１６からなる。スピンドルモータ機構１２の上部には光ディスクが載置されるターンテーブル１３を有する。また、トレイ部１６の後方の下部であって機構収納部１５近傍に第２の基板であるドロワー基板１７が取り付けられている。ドロワー基板１７は機構収納部１５の動作を制御する制御基板である。
【００１４】
図３は、ドロワー８が筐体２から排出された引出し位置にある状態の概観を示す斜視図である。ドロワー８の一対の側面にはそれぞれ摺動機構を構成するレール部材１８ａ、１８ｂが設けられている。このレール部材１８ａ、１８ｂはレールガイド部１９ａ、１９ｂに沿って移動し、これによりドロワー８が筐体２に対して摺動自在となる。
【００１５】
筐体２の背板部７の一部には、光ディスク装置１がホストコンピュータとの送受信や電源の供給を受けるためのコネクタ２０を搭載した第１の基板であるコネクタ基板２１を備えている。コネクタ基板２１とドロワー基板１７は、電気的接続部材であるフレキシブルプリント基板２２（Flexible printed circuits）によって接続されている。一般的にはフレキシブルプリント基板２２は図示しないフレキシブルプリント基板用のコネクタを介してコネクタ基板２１またはドロワー基板１７に接続されている。コネクタ基板２１とドロワー基板１７の詳細な機能分担は適宜決めればよい。
【００１６】
フレキシブルプリント基板２２は、一端がドロワー基板１７に接続され、ドロワー基板１７から筐体２の背板部７方向に導出された後、中間部で折り返されて筐体２の底板部３の内壁面に固定され、この底板部３の内壁面に沿って再度筐体の背板部７方向に導出され、他端がコネクタ基板２１に接続される。この構成により、フレキシブルプリント基板２２はドロワー８の収納位置と引出し位置との間での摺動に連動して延び縮みする。ドロワー８が引出し位置から収納位置方向に移動する際、フレキシブルプリント基板２２の折り返し部分２２ａは筐体２の底板部３の内壁面に摺動接触しながら筐体２の背板部７方向に移動する。
【００１７】
一方、底板部３において、ドロワー８が収納位置にあるときにスピンドルモータ機構１２の回転軸１２ａの延長線が底板部と交差する点Ｐの近傍には、外気を取り入れるための吸気孔２３が１個または複数設けられている。図３には４個設けられた例を示している。スピンドルモータ機構１２が発熱体の一部であることや光ディスク１１の回転中心に位置しており、吸気された外気が効率よく筐体２内を循環するのに都合がよいことから、吸気孔２３はスピンドルモータ機構１２の回転部１２ｂの外径が底板部３に投影された領域Ｃの範囲内に設けることが望ましい。
【００１８】
フレキシブルプリント基板２２によって底板部３が覆われる面積は、ドロワー８が収納位置にあるときに最も大きくなるが、このとき、フレキシブルプリント基板２２が、底板部３の吸気孔を覆うと効率よく外気が吸気されなくなる。たとえ吸気できたとしても、外気の円滑な循環の障壁となる。従ってフレキシブルプリント基板２２は、ドロワーが収納位置にあるときにスピンドルモータ機構１２の回転軸１２ａの延長線が底板部と交差する点Ｐの近傍を避けて配置されることが望ましい。また、フレキシブルプリント基板２２は、スピンドルモータ機構１２の回転部１２ｂの外径が底板部に投影された領域Ｃの範囲外に配置されることが望ましい。
【００１９】
スピンドルモータ機構１２の直下はノイズの影響が大きく、記録・再生の高速化や光ディスクの高密度化が進展する従い、スピンドルモータ機構１２の直下を通る信号ラインへの影響が無視できないものとなっている。スピンドルモータ機構１２から発生するノイズがフレキシブルプリント基板２２の信号ラインに影響し、信号品位を低下させる可能性がある。従ってフレキシブルプリント基板２２は、ドロワー８が収納位置にあるときにスピンドルモータ機構１２の回転軸１２ａの延長線が底板部と交差する点Ｐの近傍を避けて配置されることが望ましい。また、フレキシブルプリント基板２２は、スピンドルモータ機構１２の回転部１２ｂの外径が底板部に投影された領域Ｃの範囲外に配置されることが望ましい。
【００２０】
スピンドルモータ機構１２の回転部１２ｂの外径は、光ディスク装置１の軽量化や薄型化のために小径化される傾向にあるが、光ディスク１１を戴置するターンテーブル１３の外径より小さくなることは殆どない。ターンテーブル１３の外形は、光ディスク１１のクランプエリアの範囲内に設定されるが、２７ｍｍから３０ｍｍの範囲で設定される場合が多く、よってスピンドルモータ機構１２の回転部１２ｂの外径は２７ｍｍから３０ｍｍであることが多い。従ってフレキシブルプリント基板２２は、スピンドルモータ機構１２の回転軸１２ａの延長線が底板部と交差する点Ｐから１５ｍｍ以上離れた位置に配置されることが望ましい。
【００２１】
図４は、収納状態におけるフレキシブルプリント基板２２の配置の状態を示す平面図である。フレキシブルプリント基板２２の配置の状態を分かり易くするため、フレキシブルプリント基板２２、ドロワー基板１７、コネクタ基板２１、スピンドルモータ機構１２の回転部１２ｂを実線で示し、筐体やトレイを１点鎖線で示している。Ｄはスピンドルモータ機構１２の回転部１２ｂの外径を示している。スピンドルモータ機構１２の回転部１２ｂの外径が底板部３に投影された領域Ｃの外径はＤに一致する。従ってフレキシブルプリント基板２２はこの範囲外に配置されるようにすればよい。
【００２２】
図５は、図４におけるＡＡ断面を示した図である。底板部３には、スピンドルモータ機構１２の回転部１２ｂの外径が底板部に投影された領域Ｃの範囲内に吸気孔２３が設けられている。外気が吸気孔２３から取り込まれ、ディスク装置１内に入り込む空気の流れを矢印で示している。ドロワー８が収納位置にあるとき、フレキシブルプリント基板２２は、ドロワー基板１７の近辺以外は大部分が底板部３に密着した状態となっているため、吸気孔２３を避けて配置することが望ましい。
【００２３】
図６は図５におけるＢＢ断面を示した図である。収納位置におけるドロワー基板１７の位置は筐体の後部に位置するため、フレキシブルプリント基板２２は、底板部３の後部から前部にかけて大部分が底板に密着した状態となっているため、吸気孔２３を避けて配置することが望ましい。
【００２４】
図７は、図３とは別のフレキシブルプリント基板３０の配置を示した図である。図３では、フレキシブルプリント基板２２が、スピンドルモータ機構１２の回転軸１２ａの延長線が底板部と交差する点Ｐの左側だけに配置されていたが、図７は、フレキシブルプリント基板３０がドロワー基板３１から筐体２の背板部７方向に導出された後、中間部で折り返されて筐体２の底板部３の内壁面に固定され、この底板部３の内壁面に沿って再度筐体の背板部７方向に導出される部分が、スピンドルモータ機構１２の回転軸１２ａの延長線が底板部と交差する点Ｐを挟んで底板部３の右側の平面部分に沿って配線されている。そしてフレキシブルプリント基板３０の他端がコネクタ基板３２に接続されている。
【００２５】
図８は、図７におけるフレキシブルプリント基板２２の状態を示す平面図である。図８のＤはスピンドルモータ機構１２の回転部１２ｂの外径を示している。コネクタ基板２１やドロワー基板１７の電気部品の配置や基板の形状の制約によって、コネクタ基板２１やドロワー基板１７とフレキシブルプリント基板２２が接続される位置は適宜変更されるが、この場合においても、スピンドルモータ機構１２の回転部１２ｂの外径が底板部に投影された範囲Ｃの外に配置することが望ましい。図８においてはスピンドルモータ機構１２の回転部１２ｂの外径が底板部に投影された領域Ｃを迂回して配置されている状態を示している。
【００２６】
このように、フレキシブルプリント基板２２を配置する際、ドロワー８が収納位置にあるときにスピンドルモータ機構１２の回転軸１２ａの延長線が底板部と交差する点Ｐの近傍を避けて配置させることによって、スピンドルモータ機構１２が発生するノイズの影響を受けず、また光ディスク装置１の下部から効率よく外気を取り込むことができ、光ディスク装置１を安定して動作させることができる。また、フレキシブルプリント基板２２を配置する際、ドロワー８が収納位置にあるときにスピンドルモータ機構１２の回転部１２ｂの外径が底板部に投影された領域Ｃの範囲外に配置させることによって、スピンドルモータ機構１２が発生するノイズの影響を受けず、また光ディスク装置１の下部から効率よく外気を取り込むことができ、光ディスク装置１を安定して動作させることができる。
【００２７】
本発明は以上の構成に限定されるもではなく種々の変形が可能である。
【図面の簡単な説明】
【００２８】
【図１】本発明による光ディスク装置の概観を示す斜視図。
【図２】図１において天板部を外した状態の概観を示す斜視図。
【図３】ドロワーが筐体から排出された引出し位置にある状態の概観を示す斜視図。
【図４】収納状態におけるフレキシブルプリント基板１０の配置の状態を示す平面図。
【図５】図４におけるＡＡ断面を示した図。
【図６】図５におけるＢＢ断面を示した図。
【図７】フレキシブルプリント基板の別の配置を示した図。
【図８】収納状態におけるフレキシブルプリント基板の別の配置の状態を示す平面図。
【符号の説明】
【００２９】
１  光ディスク装置
２  筐体
３  底板部
４  天板部
５ａ、５ｂ  側板部
６  挿入孔
７  背板部
８  ドロワー
９  前面パネル
１０  スイッチ
１１  光ディスク
１２  スピンドルモータ機構
１２ａ  回転軸
１２ｂ  回転部
１３  ターンテーブル
１４  ピックアップヘッド機構
１５  機構収納部
１６  トレイ部
１７  ドロワー基板
１８ａ、１８ｂ  レール部材
１９ａ、１９ｂ  レールガイド部
２０  コネクタ
２１  コネクタ基板
２２  フレキシブルプリント基板
２３  吸気孔
【図１】
2009181677.tif 000003
【図２】
2009181677.tif 000004
【図３】
2009181677.tif 000005
【図４】
2009181677.tif 000006
【図５】
2009181677.tif 000007
【図６】
2009181677.tif 000008
【図７】
2009181677.tif 000009
【図８】
2009181677.tif 000010